(57)【要約】【課題】地盤を損傷させることなく、かつ、地盤に埋設された構造物支持用の杭を損傷させることのない杭引抜き方法を提供する。【解決手段】地盤から構造物支持用の杭１を引き抜くための杭引抜き方法である。杭引抜き方法は、オーガドリル３０を用いて杭１の周囲を囲むように掘削孔４０を形成する工程と、管状の引抜き治具２０を回転させながら、杭１の軸方向に沿って杭１を囲むようにして地盤に圧入する工程と、引抜き治具２０によって杭１を保持した状態で、引抜き治具２０と共に杭１を引き抜く工程とを備えている。掘削孔４０を形成する工程では、掘削孔４０の先端が杭１の先端付近まで到達するように、掘削孔４０を形成する。【選択図】図１
2015183501.tif 000002
【特許請求の範囲】
【請求項１】
地盤に埋設された構造物支持用の杭を引き抜くための杭引抜き方法であって、
前記地盤を掘削して前記杭の周囲に掘削孔を形成する工程と、
前記杭の外径よりも広い内径を有する管状の引抜き治具を回転させながら、前記杭の軸方向に沿って該杭を囲むようにして前記地盤に圧入する工程と、
前記地盤に圧入された前記引抜き治具によって前記杭を保持する工程と、
前記杭が保持された状態で、前記引抜き治具と共に前記杭を引き抜く工程と、を備え、
前記掘削孔を形成する工程では、前記掘削孔の先端が前記杭の軸方向における中央部分よりも深い位置まで到達するように、前記掘削孔を形成することを特徴とする杭引抜き方法。
【請求項２】
前記杭は、セメント系固化剤から形成される柱状改良杭からなることを特徴とする請求項１に記載の杭引抜き方法。
【請求項３】
前記引抜き治具を前記地盤に圧入する工程では、
前記引抜き治具の先端から液体を注ぎながら、前記引抜き治具を前記地盤に回転圧入することを特徴とする請求項１又は２に記載の杭引抜き方法。
【請求項４】
前記掘削孔を形成する工程では、
前記杭の周囲を囲むように前記掘削孔を形成し、
前記掘削孔の先端が前記杭の先端付近まで到達することを特徴とする請求項１乃至３のいずれか１項に記載の杭引抜き方法。
【請求項５】
前記掘削孔を形成する工程では、
前記杭の周囲に前記掘削孔を複数形成し、
前記杭を挟む位置に複数の前記掘削孔を配置することを特徴とする請求項１乃至４のいずれか１項に記載の杭引抜き方法。
【請求項６】
前記引抜き治具と共に前記杭を引き抜く工程では、
前記引抜き治具を引き抜くときに、該引抜き治具の外表面に設けられた開口孔にスリング部材を掛け止めて吊り上げることを特徴とする請求項１乃至５のいずれか１項に記載の杭引抜き方法。
【発明の詳細な説明】
【技術分野】
【０００１】
本発明は、杭引抜き方法に係り、特に、管状の引抜き治具を用いて、地盤に埋設された構造物支持用の杭を引き抜くための杭引抜き方法に関する。
【背景技術】
【０００２】
従来、既存の構造物を撤去して地盤を復帰させる等を目的として、地盤に予め埋設された構造物支持用の杭を引き抜く技術が知られている。
例えば、地盤が崩壊しないようにショベルカー等で周辺を掘削して杭を吊り上げる技術が知られているが、ショベルカーの掘削によって杭を損傷させたり、杭の深度が深くなるほど掘削範囲が広くなってコスト、時間がかかったりする等の問題が生じている。
そこで、上記問題を解消すべく特許文献１のような杭引抜き方法が種々提案されているところである。
【０００３】
特許文献１に記載の鋼管杭の引抜き方法は、地盤に埋設された鋼管杭の外径よりも大きな内径を有する鋼管ケーシングを、鋼管杭の外周地盤に回転挿入して、鋼管杭と地盤との摩擦抵抗力を低減させた後、鋼管ケーシングを地盤から引き抜き、その後、鋼管杭を地盤から引き抜く方法である。
上記シンプルな構成により、建物が密集して掘削のためのスペースが十分確保できない現場等でも、鋼管杭を引き抜くことができる。
【先行技術文献】
【特許文献】
【０００４】
【特許文献１】特許第４１６９７７４号公報
【発明の概要】
【発明が解決しようとする課題】
【０００５】
しかしながら、特許文献１のような鋼管ケーシングを利用することで、鋼管杭と地盤との摩擦力を低減できる一方で、鋼管ケーシングの回転挿入時に鋼管ケーシングと鋼管杭との間で生じる摩擦力によって、鋼管杭が損傷してしまう虞があった。その結果、鋼管杭を引き抜くときに一部が地盤中に残ってしまう等の虞があった。
特に、構造物支持用の杭が、セメント系固化剤と水とを混合させたセメントミルクを地盤の土に注入撹拌することで形成する柱状改良杭の場合には、鋼管杭と比較して強度が低くなることから、一層杭の損傷が発生する恐れがあった。
しかも、柱状改良杭は鋼管杭と比較して幅広となることから、柱状改良杭と鋼管ケーシングとの摩擦力が大きくなるため、鋼管ケーシングの回転挿入時、又は引抜き時に一層杭の損傷が発生する虞があった。
そのため、複雑な構成を必要としないで、地盤に埋設された杭を損傷させることなく引き抜くことが可能な技術が必要とされていた。
【０００６】
本発明は、上記の課題に鑑みてなされたものであり、本発明の目的は、シンプルな構成で、地盤を損傷させることなく、かつ、地盤に埋設された構造物支持用の杭を損傷させることのない杭引抜き方法を提供することにある。
特に、構造物支持用の杭が柱状改良杭の場合であっても、杭を損傷させることなく引き抜くことが可能な杭引抜き方法を提供することにある。
【課題を解決するための手段】
【０００７】
前記課題は、本発明の杭引抜き方法によれば、地盤に埋設された構造物支持用の杭を引き抜くための杭引抜き方法であって、前記地盤を掘削して前記杭の周囲に掘削孔を形成する工程と、前記杭の外径よりも広い内径を有する管状の引抜き治具を回転させながら、前記杭の軸方向に沿って該杭を囲むようにして前記地盤に圧入する工程と、前記地盤に圧入された前記引抜き治具によって前記杭を保持する工程と、前記杭が保持された状態で、前記引抜き治具と共に前記杭を引き抜く工程と、を備え、前記掘削孔を形成する工程では、前記掘削孔の先端が前記杭の軸方向における中央部分よりも深い位置まで到達するように、前記掘削孔を形成すること、により解決される。
【０００８】
上記のように、地盤を掘削して杭の周囲に掘削孔を形成する工程では、掘削孔の先端が杭の軸方向における中央部分よりも深い位置まで到達するように、掘削孔を形成しているため、その後、管状の引抜き治具を回転圧入するときに、予め形成しておいた掘削孔に、引抜き治具の回転圧入に伴う土壌の掘削痕を逃がすことができる。
すなわち、余剰の掘削痕を掘削孔に逃がすことで、引抜き治具と杭との間で掘削痕を挟んで生じる摩擦力を低減し、当該摩擦力によって杭が損傷してしまうことを抑制することができる。
従来では、引抜き治具を用いて杭を引き抜く作業において、杭の上端部分が露出する程度まで杭の周囲を予め掘削することはあっても、杭の軸方向における中央部分よりも深い位置まで掘削するような技術は確立していなかった。
すなわち、引抜き治具の回転圧入に伴う土壌の掘削痕を、予め形成しておいた掘削孔に逃がして杭の損傷を抑制するという技術が確立していなかった。
従って、上記のように、シンプルな構成で、地盤を広範囲にわたって損傷させることなく、かつ、杭の損傷を抑制することが可能な杭引抜き方法を実現することができる。
【０００９】
このとき、杭は、セメント系固化剤から形成される柱状改良杭からなると良い。
上記のように、構造物支持用の杭が、セメント系固化剤と水とを混合させたセメントミルクを地盤の土に注入撹拌することで形成する柱状改良杭の場合には、鋼管杭と比較して強度が低くなることから、杭の損傷が一層起こり易くなる。
しかも、柱状改良杭は鋼管杭と比較して幅広となることから、柱状改良杭と引抜き治具との間で生じる摩擦力が大きくなるため、引抜き治具の回転圧入時、又は引抜き時に杭の損傷が一層起こり易くなる。
従って、本発明に係る杭引抜き方法の効果がより有意義なものとなる。
【００１０】
このとき、前記引抜き治具を前記地盤に圧入する工程では、前記引抜き治具の先端から液体を注ぎながら、前記引抜き治具を前記地盤に回転圧入すると良い。
上記構成により、地盤の土壌を液体の注水によって比較的柔らかい状態に保ちながら、引抜き治具を回転圧入することができるため、引抜き治具や杭に負荷がかかることなく、杭引抜き作業を効率的に進めることができる。
【００１１】
このとき、前記掘削孔を形成する工程では、前記杭の周囲を囲むように前記掘削孔を形成し、前記掘削孔の先端が前記杭の先端付近まで到達すると良い。
上記のように、杭の周囲を囲むように、かつ、掘削孔の先端が杭の先端付近まで到達するように掘削孔を予め形成しているため、その後、引抜き治具を回転圧入するときに、引抜き治具の回転圧入に伴う土壌の掘削痕を掘削孔に効率的に逃がすことができる。
その結果、引抜き治具と杭との間で掘削痕を挟んで生じる摩擦力を低減し、杭の損傷を一層抑制することができる。
【００１２】
このとき、前記掘削孔を形成する工程では、前記杭の周囲に前記掘削孔を複数形成し、前記杭を挟む位置に複数の前記掘削孔を配置すると良い。
上記構成により、引抜き治具を回転圧入するときに、引抜き治具の回転圧入に伴う土壌の掘削痕を掘削孔に一層効率的に逃がすことができる。
その結果、杭の損傷を一層抑制できる。
【００１３】
このとき、前記引抜き治具と共に前記杭を引き抜く工程では、前記引抜き治具を引き抜くときに、該引抜き治具の外表面に設けられた開口孔にスリング部材を掛け止めて吊り上げると良い。
上記構成により、例えば、杭打ち機等に接続された引抜き治具を引き上げることが出来ない場合には、引抜き治具の外表面に予め設けられた開口孔に、杭打ち機が備えるスリング部材を掛け止めて吊り上げることで、引抜き治具と共に杭を引き抜くことが一層確実なものとなる。
【発明の効果】
【００１４】
本発明の杭引抜き方法によれば、シンプルな構成で、地盤を損傷させることなく、かつ、地盤に埋設された構造物支持用の杭を損傷させることのない杭引抜き方法を実現することができる。
特に、構造物支持用の杭が柱状改良杭の場合であっても、杭を損傷させることなく引き抜くことが可能な杭引抜き方法を実現できる。
【図面の簡単な説明】
【００１５】
【図１】本実施形態に係る杭引抜き方法を説明する図であって、引抜き治具を用いて地盤に埋設された杭を引き抜く様子を示す図である。
【図２】引抜き治具を示す斜視図である。
【図３】引抜き治具を用いた杭引抜き方法を示す工程図である。
【図４】杭の周囲にオーガーで掘削孔を形成している状態を説明する図である。
【図５】杭の周囲に形成された掘削孔を説明する図である。
【図６】杭の周囲に形成された掘削孔を説明する平面図である。
【図７】杭の周囲に引抜き治具を回転圧入している状態を説明する図である。
【図８】引抜き治具と共に杭を引き抜いている状態を説明する図である。
【図９】図８の変形例を示す図である。
【発明を実施するための形態】
【００１６】
以下、本発明の実施形態に係る杭引抜き方法について、図１〜図９を参照しながら説明する。
本実施形態は、地盤から構造物支持用の杭を引き抜く方法であって、杭の周囲を囲むように掘削孔を形成する工程と、管状の引抜き治具を回転させながら、杭の軸方向に沿って杭を囲むようにして地盤に圧入する工程と、引抜き治具によって杭を保持した状態で、引抜き治具と共に杭を引き抜く工程と、を備えており、予め形成した掘削孔の先端が杭の先端付近まで到達していることを特徴とする杭引抜き方法の発明に関するものである。
【００１７】
本実施形態に係る杭引抜き方法は、図１に示すように、地盤に埋設された杭１の周囲を予め穿孔掘削した後、杭打ち機１０に接続された引抜き治具２０を用いて杭１を保持した状態で引き抜く方法である。
なお、杭１の周囲を予め穿孔掘削する工程では、杭打ち機１０に図４に示すオーガドリル３０を接続させて作業する。
【００１８】
杭１は、セメント系固化材から形成される柱状改良杭からなり、各種構造物を下方から支持するために、地盤補強用として地盤に複数埋設される基礎杭である。
詳しく言うと、杭１は、湿式柱状改良工法に基づいて形成される改良杭であって、セメント系固化材と水とを混合撹拌して形成したセメントミルクを、地盤に予め形成しておいた孔に注入し、地盤の土壌とセメントミルクとを混合撹拌することで形成されている。
なお、杭１は、湿式柱状改良工法に限定されることなく、乾式柱状改良工法に基づいて形成される柱状改良杭であっても良い。
また、杭１は、柱状改良杭に限定されることなく、鋼管杭工法に基づいて形成される鋼管杭であっても良いし、コンクリート杭又は木杭等であっても良い。
【００１９】
杭打ち機１０は、図１に示すように、建設工事の基礎を造成するために用いられる建設機械であって、例えば、杭打ち機１０に設けられた被接続部１１にオーガドリル３０を接続することで、地盤に杭１を埋設するための埋設穴を掘削形成したり、被接続部１１に引抜き治具２０を接続することで、地盤に埋設された杭１を引き抜いたりすることができる。
詳しく言うと、杭打ち機１０の被接続部１１には、回転駆動装置１２が設けられており、回転駆動装置１２の駆動力をオーガドリル３０や、引抜き治具２０に伝達することで、オーガドリル３０や、引抜き治具２０が軸を中心として回転可能な構成となっている。
【００２０】
引抜き治具２０は、図１、図２に示すように、地盤に埋設された杭１を引き抜くための管状の工具からなり、略円筒状に形成された長尺な治具本体部２１と、治具本体部２１の長尺方向の先端側に形成され、地盤を掘削するための刃部２２と、治具本体部２１の長尺方向の末端側に形成され、杭打ち機１０の被接続部１１と接続される軸部２３と、から主に構成されている。
また、引抜き治具２０には、軸部２３側から治具本体部２１の外表面に沿って刃部２２側まで延びて、刃部２２側周辺から注水することが可能な注水パイプ２４が取り付けられている。
引抜き治具２０は、回転駆動装置１２の駆動力によって軸を中心として回転することで、地盤を掘削することができる。
【００２１】
治具本体部２１は、杭１の外径よりも広い内径を有し、治具本体部２１の先端側から杭１を収容可能な構成となっている。
治具本体部２１の外表面には、円周方向に所定の間隔を空けて略矩形状の開口孔２１ａが複数形成されており、また、各開口孔２１ａは、治具本体部２１の長尺方向に所定の間隔を空けて複数形成されている。
刃部２２は、治具本体部２１の外表面において円周方向に所定の間隔を空けて複数設けられており、治具本体部２１の先端側から張り出すように形成されている。
軸部２３は、略正六角柱形状からなる接続部であって、治具本体部２１の末端側から凸状に張り出しており、杭打ち機１０に設けられた凹状の被接続部１１と接続されている。
【００２２】
注水パイプ２４は、一端側が引抜き治具２０の軸部２３に接続され、軸部２３を介して杭打ち機１０に設けられた不図示の注水装置と連結されている。
注水パイプ２４は、当該注水装置から流入される水を他端側に設けられた注水口２５に流出する構成となっている。
上記構成により、杭打ち機１０は、引抜き治具２０の先端にある注水口２５から水を注ぎながら、引抜き治具２０を地盤に回転圧入することが可能となる。
【００２３】
オーガドリル３０は、図４に示すように、地盤に掘削孔を形成するための工具であって、その長尺方向の先端側には螺旋状の刃部３１が形成され、末端側には杭打ち機１０の被接続部１１と接続される不図示の接続部が形成されている。
オーガドリル３０は、回転駆動装置１２の駆動力によって軸を中心として回転することで、地盤に略円柱状の掘削孔４０を形成することができる。
なお、オーガドリル３０は、杭１の周囲に複数の掘削孔４０を形成するほか、地盤に杭１を埋設するための埋設孔を形成するために用いることができる。
【００２４】
＜引抜き治具２０を用いた杭引抜き方法＞
次に、杭打ち機１０に接続された引抜き治具２０、オーガドリル３０を用いて、地盤に予め埋設された杭１を引き抜く方法について、図３〜図９に基づいて説明する。
図３は、杭引抜き方法を示す作業工程図である。
【００２５】
杭引抜き方法では、最初に、杭打ち機１０に接続されたオーガドリル３０を用いて地盤を穿孔掘削することで、杭１の周囲に掘削孔４０を形成する作業工程（ＳＴ０１）から始まる。
詳しく言うと、図４、図５に示すように、オーガドリル３０を用いて掘削孔４０の先端が杭１の先端付近まで到達するように穿孔掘削する。そして、杭１の周囲に掘削孔４０を複数形成し、複数の掘削孔４０が杭１を挟む位置に設けられる。
さらに詳しく言うと、図６に示すように、杭１の周囲を囲むように掘削孔４０を複数形成し、複数の掘削孔４０が周方向に所定の間隔を空けて設けられる。具体的には、上方から地盤を見たときに杭１を中心として、複数の掘削孔４０が略正六角形の各頂点に相当する位置に設けられる。
【００２６】
次に、杭打ち機１０に接続された引抜き治具２０を回転させながら、杭１の軸方向に沿って杭１を囲むようにして地盤に圧入する工程（ＳＴ０２）に進む。
詳しく言うと、図７に示すように、引抜き治具２０の先端から水を注ぎながら、同時に軸を中心として回転することで引抜き治具２０を地盤に回転圧入する。
このとき、引抜き治具２０は、杭１の周囲に予め形成された各掘削孔４０の略中央部分、又は杭１側寄りの部分を通過するようにして回転圧入される。
引抜き治具２０は、その先端が杭１の先端付近に到達するまで回転圧入される。
【００２７】
次に、地盤に回転圧入された引抜き治具２０によって杭１を保持する工程（ＳＴ０３）に進む。
詳しく言うと、図７、図８に示すように、地盤に回転圧入された引抜き治具２０と杭１との間で土壌の掘削痕を挟み込んだ状態となっており、引抜き治具２０と杭１との間で掘削痕を介して摩擦抵抗力が生じている。当該摩擦抵抗力によって、引抜き治具２０が杭１を保持する構成となっている。
【００２８】
次に、杭１が引抜き治具２０によって保持された状態で、引抜き治具２０と共に杭１を引き抜く工程（ＳＴ０４）に進む。
詳しく言うと、図８に示すように、杭打ち機１０に接続された引抜き治具２０を逆回転させながら、杭１の軸方向に沿って引抜き治具と共に杭１を引き抜く。
そして、図３の作業工程を終了する。
【００２９】
上記ステップ０１（ＳＴ０１）のように、予め杭１の周囲に掘削孔４０を形成しておくことで、その後、引抜き治具２０を地盤に回転圧入するときに、引抜き治具２０の回転圧入に伴う土壌の掘削痕を掘削孔４０に逃がすことができる。
すなわち、余剰の掘削痕を掘削孔４０に逃がすことで、引抜き治具２０と杭１との間で掘削痕を挟んで生じる摩擦力を低減し、当該摩擦力によって杭が損傷してしまうことを抑制することができる。
また、上記ステップ０１では、図４〜図６に示すように、オーガドリル３０を用いて掘削孔４０の先端が杭１の先端付近まで到達するように穿孔掘削し、かつ、杭１の周囲を囲むように掘削孔４０を等間隔で形成している。そのため、引抜き治具２０を回転圧入するときに、引抜き治具２０の回転圧入に伴う土壌の掘削痕を掘削孔４０に効率的に逃がすことができる。
【００３０】
また、上記ステップ０２では、図７に示すように、引抜き治具２０の先端から水を注ぎながら、引抜き治具２０を地盤に回転圧入している。そのため、地盤の土壌を注水によって比較的柔らかい状態に保ちながら、引抜き治具２０を回転圧入することができるため、引抜き治具２０や杭１に過剰な負荷がかかることなく、杭引抜き作業を効率的に進めることができる。
また、上記ステップ０２では、引抜き治具２０を地盤に回転圧入するときに、引抜き治具２０の外表面に設けられた開口孔２１ａを利用して、引抜き治具２０と杭１との間に挟まった掘削痕を掘削孔４０に逃がしている。そのため、引抜き治具２０と杭１との間で余剰な掘削痕が挟まって生じる摩擦力を低減し、当該摩擦力によって杭１が損傷してしまうことを抑制できる。
【００３１】
また、上記ステップ０３では、図８に示すように、地盤に回転圧入された引抜き治具２０と杭１との間で所定量の掘削痕を挟み込んだ状態となっている。このとき、上述したように余剰の掘削痕を掘削孔４０に逃がして、引抜き治具２０と杭１との間に介在する掘削痕を調整することで、引抜き治具２０と杭１との間で生じる摩擦力を調整できる。
そのため、当該摩擦力を調整することで、杭１を損傷してしまうことなく引抜き治具２０が杭１を保持することができる。
【００３２】
また、上記ステップ０４において、杭打ち機１０に接続された引抜き治具２０を引き上げることができない場合には、図９に示すように、引抜き治具２０を逆回転させながら引き抜くと同時に、引抜き治具２０の外表面に設けられた開口孔２１ａにスリング部材５０を掛け止めて吊り上げると良い。
スリング部材５０は、杭打ち機１０に設けられた不図示のウインチ装置に一端側が巻き付けられており、ウインチ装置の回転駆動によって他端側に掛け止めされた引抜き治具２０を吊り上げることが可能となっている。
なお、スリング部材は、ポリエステル製の長尺なロープスリングのほか、ナイロン製のベルトスリング等であっても良い。
上記構成により、引抜き治具２０と共に杭１を引き抜くことが一層確実なものとなる。
【００３３】
＜その他の実施形態＞
上記実施形態の杭引抜き方法では、図４、図５に示すように、オーガドリル３０を用いて掘削孔４０の先端が杭１の先端付近まで到達するように穿孔掘削しているが、例えば、掘削孔４０の先端が杭１の軸方向における中央部分よりも深い位置まで到達していれば良い。
【００３４】
また、上記実施形態では、図６に示すように、杭１の周囲を囲むように掘削孔４０を複数形成しているが、例えば、杭１の周囲において杭１を挟む位置に少なくとも２本以上の掘削孔４０が形成されていれば良い。
【００３５】
上記実施形態では、主として本発明に係る杭引抜き方法に関して説明した。
ただし、上記の実施形態は、本発明の理解を容易にするための一例に過ぎず、本発明を限定するものではない。本発明は、その趣旨を逸脱することなく、変更、改良され得ると共に、本発明にはその等価物が含まれることは勿論である。
【符号の説明】
【００３６】
１  杭
１０  杭打ち機
１１  被接続部
１２  回転駆動装置
２０  引抜き治具
２１  治具本体部
２１ａ  開口孔
２２  刃部
２３  軸部
２４  注水パイプ
２５  注水口
３０  オーガドリル
３１  刃部
４０  掘削孔
５０  スリング部材
【図１】
2015183501.tif 000003
【図２】
2015183501.tif 000004
【図３】
2015183501.tif 000005
【図４】
2015183501.tif 000006
【図５】
2015183501.tif 000007
【図６】
2015183501.tif 000008
【図７】
2015183501.tif 000009
【図８】
2015183501.tif 000010
【図９】
2015183501.tif 000011